(57)【要約】【課題】集光スポットにおける光量を向上させる。【解決手段】対物レンズ５の第１レーザー光に対する倍率ｍ1と、第２レーザー光に対する倍率ｍ2とは、１／３０＞ｍ1≧０．９×ｍ2を満たし、光学面６は非球面形状であるとともに、第１レーザー光及び第２レーザー光を集光する中央領域６１と、第１レーザー光を集光する外周領域６２とを備える。中央領域６１には、光軸を中心とする複数の輪帯状にブレーズ型の第１回折構造６５が設けられ、この第１回折構造６５の向きは、第１領域６３では外周側、第２領域６４では内周側である。第１領域６３のみを通過する第１レーザー光に対する開口数ＮＡP1は、以下の式を満たす。  ０．３５ＮＡC≦ＮＡP1≦０．７ＮＡC  または０．７３ＮＡC≦ＮＡP1≦０．９５ＮＡC【選択図】図３
2006114081.tif 000002
【特許請求の範囲】
【請求項１】
波長λ1の第１光束を用いて保護層の厚さｔ1の第１光記録媒体に対し情報の記録及び再生の少なくとも一方を行うとともに、波長λ2（λ2＞λ1）の第２光束を用いて保護層の厚さｔ2（ｔ2≧ｔ1）の第２光記録媒体に対し情報の記録及び再生の少なくとも一方を行う光ピックアップ装置用の対物レンズであって、
前記第１光束に対する倍率ｍ1と、前記第２光束に対する倍率ｍ2とは、
１／３０＞ｍ1≧０．９×ｍ2
を満たし、
少なくとも一方の光学面は、非球面形状であるとともに、前記第１光束及び前記第２光束を集光する中央領域と、前記第１光束を集光する外周領域とを備え、
前記中央領域には、光軸を中心とする複数の輪帯状に、ブレーズ型の第１回折構造が設けられ、
この第１回折構造の向きは、光軸を含む第１領域では外周側、前記第１領域の外周側に位置する第２領域では内周側であり、
前記第１領域のみを通過する前記第１光束に対する開口数ＮＡP1は、以下の（１）式を満たすことを特徴とする対物レンズ。
０．３５ＮＡC≦ＮＡP1≦０．７ＮＡC
または０．７３ＮＡC≦ＮＡP1≦０．９５ＮＡC          （１）
（但し、ＮＡCは、前記中央領域のみを通過する前記第２光束に対する開口数）
【請求項２】
請求項１記載の対物レンズにおいて、
前記中央領域は、前記第１領域及び前記第２領域から構成されることを特徴とする対物レンズ。
【請求項３】
波長λ1の第１光束を用いて保護層の厚さｔ1の第１光記録媒体に対し情報の記録及び再生の少なくとも一方を行うとともに、波長λ2（λ2＞λ1）の第２光束を用いて保護層の厚さｔ2（ｔ2≧ｔ1）の第２光記録媒体に対し情報の記録及び再生の少なくとも一方を行う光ピックアップ装置用の対物レンズであって、
前記第１光束に対する倍率ｍ1と、前記第２光束に対する倍率ｍ2とは、
１／３０＞ｍ1≧０．９×ｍ2
を満たし、
少なくとも一方の光学面は、非球面形状であるとともに、前記第１光束及び前記第２光束を集光する中央領域と、前記第１光束を集光する外周領域とを備え、
前記中央領域には、光軸を中心とする複数の輪帯状に第１回折構造が設けられ、
この第１回折構造の光路差関数Φ（ｈ）＝Ｃ2ｈ2＋ΣＣ2iｈ2i（但し、ｈは光軸からの高さ、ｉは２以上の整数、Ｃ2，Ｃ2iは係数）は、この光路差関数Φ（ｈ）の各極値に対応する高さｈのうち、最も小さい所定高さｈ1に対して極大値を示し、
前記光軸から前記所定高さｈ1までを通過する前記第１光束に対する開口数ＮＡP2は、以下の（２）式を満たすことを特徴とする対物レンズ。
０．３５ＮＡC≦ＮＡP2≦０．７ＮＡC
または０．７３ＮＡC≦ＮＡP2≦０．９５ＮＡC          （２）
（但し、ＮＡCは、前記中央領域のみを通過する前記第２光束に対する開口数）
【請求項４】
請求項３記載の対物レンズにおいて、
前記光路差関数Φ（ｈ）は、極値を１つのみ有することを特徴とする対物レンズ。
【請求項５】
波長λ1の第１光束を用いて保護層の厚さｔ1の第１光記録媒体に対し情報の記録及び再生の少なくとも一方を行うとともに、波長λ2（λ2＞λ1）の第２光束を用いて保護層の厚さｔ2（ｔ2≧ｔ1）の第２光記録媒体に対し情報の記録及び再生の少なくとも一方を行う光ピックアップ装置用の対物レンズであって、
前記第１光束に対する倍率ｍ1と、前記第２光束に対する倍率ｍ2とは、
１／３０＞ｍ1≧０．９×ｍ2
を満たし、
少なくとも一方の光学面は、非球面形状であるとともに、前記第１光束及び前記第２光束を集光する中央領域と、前記第１光束を集光する外周領域とを備え、
前記中央領域には、光軸を中心とする複数の輪帯状に第１回折構造が設けられており、
この第１回折構造の光路差関数Φ（ｈ）＝Ｃ2ｈ2＋ΣＣ2iｈ2i（但し、ｈは光軸からの高さ、ｉは２以上の整数、Ｃ2，Ｃ2iは係数）の前記係数Ｃ2，Ｃ2iは、以下の（３）式を満たすことを特徴とする対物レンズ。
−ΣＣ2iｈc2(i-1)−１０λ2ｈ-2≦Ｃ2≦−ΣＣ2iｈc2(i-1)＋９λ2ｈ-2        （３）
（但し、ｈcは前記中央領域と前記外周領域との境界での高さ）
【請求項６】
波長λ1の第１光束を用いて保護層の厚さｔ1の第１光記録媒体に対し情報の記録及び再生の少なくとも一方を行うとともに、波長λ2（λ2＞λ1）の第２光束を用いて保護層の厚さｔ2（ｔ2≧ｔ1）の第２光記録媒体に対し情報の記録及び再生の少なくとも一方を行う光ピックアップ装置用の対物レンズであって、
ｄ線に対するアッベ数νｄが５０≦νｄ≦７０の材料から形成され、
前記第１光束に対する倍率ｍ1と、前記第２光束に対する倍率ｍ2とは、
１／３０＞ｍ1≧０．９×ｍ2
を満たし、
少なくとも一方の光学面は、非球面形状であるとともに、前記第１光束及び前記第２光束を集光する中央領域と、前記第１光束を集光する外周領域とを備え、
前記中央領域には、光軸を中心とする複数の輪帯状に第１回折構造が設けられており、
前記中央領域を通過した前記第１光束から形成される集光スポットの色収差Ｉ［μｍ／ｎｍ］は、
０．１＜Ｉ＜０．３を満たすことを特徴とする対物レンズ。
【請求項７】
請求項１〜６の何れか一項に記載の対物レンズにおいて、
前記第１光束に対する倍率ｍ1と、前記第２光束に対する倍率ｍ2とは、
０．９５×ｍ1≦ｍ2≦１．０５×ｍ1
を満たすことを特徴とする対物レンズ。
【請求項８】
請求項１〜７の何れか一項に記載の対物レンズにおいて、
前記第１光束の波長λ1は、６３０〜６８０［ｎｍ］、
前記第２光束の波長λ2は、７７０〜７９０［ｎｍ］、
前記第１光記録媒体の保護層の厚さｔ1は、０．５５≦ｔ1≦０．６５［ｍｍ］、
前記第２光記録媒体の保護層の厚さｔ2は、１．２ｔ1≦ｔ2≦２．２ｔ1［ｍｍ］であることを特徴とする対物レンズ。
【請求項９】
請求項１〜８の何れか一項に記載の対物レンズにおいて、
前記外周領域には、光軸を中心とする複数の輪帯状に第２回折構造が設けられており、
この第２回折構造における最も内周側の輪帯のピッチは、前記第１回折構造における最も外周側の輪帯のピッチよりも大きいことを特徴とする対物レンズ。
【請求項１０】
請求項１〜９の何れか一項に記載の対物レンズにおいて、
前記外周領域には、光軸を中心とする複数の輪帯状に第２回折構造が設けられており、
この第２回折構造は、前記外周領域を通過する前記第２光束を、前記第２光記録媒体の情報記録面において光軸を中心とする直径３０〜１００［μｍ］の領域内に到達させることを特徴とする対物レンズ。
【請求項１１】
請求項１〜１０の何れか一項に記載の対物レンズにおいて、
プラスチック製であることを特徴とする対物レンズ。
【請求項１２】
請求項１〜１１の何れか一項に記載の対物レンズと、
前記第１光束を出射する第１光源と、
前記第２光束を出射する第２光源とを備えることを特徴とする光ピックアップ装置。
【発明の詳細な説明】
【技術分野】
【０００１】
本発明は、光記録媒体に対向する対物レンズと、この対物レンズを備える光ピックアップ装置とに関する。
【背景技術】
【０００２】
従来、ＣＤやＤＶＤ等の光記録媒体に記録された情報の再生を行う光ピックアップ装置は、レーザー光源から出射されたレーザー光を対物レンズで光記録媒体の情報記録面に集光させて、情報の記録や再生を行っている。
【０００３】
近年、このような光ピックアップ装置として、複数種類の光記録媒体に対し互換性を有するものがある。この光ピックアップ装置における対物レンズは、光学面に回折構造を備えることにより、複数のレーザー光源から出射される各波長のレーザー光を、それぞれ対応する光記録媒体に集光している（例えば、特許文献１，２参照）。
【特許文献１】特開２００１−１９５７６９号公報
【特許文献２】特開２００１−２１６６７４号公報
【発明の開示】
【発明が解決しようとする課題】
【０００４】
しかしながら、上記特許文献１，２に開示のように対物レンズの光学面に回折構造を設ける場合には、複数種類の光記録媒体に対して互換性を得ることができるものの、レンズの成形性の限界により回折構造のエッジ部分が設計通りに形成されなかったり、回折構造の段差部分によりレーザー光が遮断されたり、レーザー光源の使用波長の誤差や変動などにより回折効率が低下したりするため、集光スポットにおける光量が低下してしまう。
【０００５】
本発明の課題は、複数種類の光記録媒体に対して互換性を有するとともに、集光スポットにおける光量を向上させることができる対物レンズ及び光ピックアップ装置を提供することである。
【課題を解決するための手段】
【０００６】
請求項１記載の発明は、
波長λ1の第１光束を用いて保護層の厚さｔ1の第１光記録媒体に対し情報の記録及び再生の少なくとも一方を行うとともに、波長λ2（λ2＞λ1）の第２光束を用いて保護層の厚さｔ2（ｔ2≧ｔ1）の第２光記録媒体に対し情報の記録及び再生の少なくとも一方を行う光ピックアップ装置用の対物レンズであって、
前記第１光束に対する倍率ｍ1と、前記第２光束に対する倍率ｍ2とは、
１／３０＞ｍ1≧０．９×ｍ2
を満たし、
少なくとも一方の光学面は、非球面形状であるとともに、前記第１光束及び前記第２光束を集光する中央領域と、前記第１光束を集光する外周領域とを備え、
前記中央領域には、光軸を中心とする複数の輪帯状に、ブレーズ型の第１回折構造が設けられ、
この第１回折構造の向きは、光軸を含む第１領域では外周側、前記第１領域の外周側に位置する第２領域では内周側であり、
前記第１領域のみを通過する前記第１光束に対する開口数ＮＡP1は、以下の（１）式を満たすことを特徴とする。
０．３５ＮＡC≦ＮＡP1≦０．７ＮＡC
または０．７３ＮＡC≦ＮＡP1≦０．９５ＮＡC          （１）
（但し、ＮＡCは、前記中央領域のみを通過する前記第２光束に対する開口数）
【０００７】
ここで、ブレーズ型の回折構造の向きとは、各段差部分を構成する２つの面のうち、母非球面となす角の大きい方の面が対向する向きである。
【０００８】
請求項１記載の発明によれば、中央領域に第１回折構造が設けられているので、第１光束を第１光記録媒体の情報記録面に集光でき、かつ第２光束を第２光記録媒体の情報記録面に集光することができる。従って、複数種類の光記録媒体に対して互換性を持たせることができる。
【０００９】
また、第１領域のみを通過する第１光束に対する開口数ＮＡP1は前記（１）式を満たすので、色収差量を適当な値に設定しつつ、従来と比較して輪帯数を少なくすることができる。
【００１０】
また、第１回折構造の向きが第１領域と第２領域との間で外周側から内周側に変化するので、この第１回折構造の光路差関数は第１領域と第２領域との間に極大値を有する。また、第１領域は光軸を含んでいるので、前記極大値は最も光軸に近い極値となる。従って、光路差関数の最低次の係数Ｃ2は正となるため、係数Ｃ2が０以下になる場合と比較して、輪帯数を少なくすることができる。
【００１１】
また、光路差関数は極大値を有するので、極値を有さない場合と比較して輪帯数を少なくすることができる。
【００１２】
また、倍率ｍ1，ｍ2がｍ1≧０．９×ｍ2を満たすので、ｍ1＞ｍ2の場合には、第２光束の発散角が第１光束の発散角よりも大きくなる。従って、この場合には複数種類の光記録媒体の使用波長や保護基板厚の差に起因する球面収差の一部が発散角の違いにより補正されるため、互換性に必要な回折作用が減少する分、輪帯数を減らすことができる。
よって、輪帯数を減らすことにより、集光スポットにおける光量を向上させることができる。
【００１３】
また、倍率ｍ1が１／３０＞ｍ1を満たすので、１／３０≦ｍ1である場合と比較して、光ピックアップ装置がトラッキングのために対物レンズを移動させた場合に生じるコマ収差の量を低減することができる。
【００１４】
請求項２記載の発明は、請求項１記載の対物レンズにおいて、
前記中央領域は、前記第１領域及び前記第２領域から構成されることを特徴とする。
請求項２記載の発明によれば、請求項１記載の発明と同様の効果を得ることができる。
【００１５】
請求項３記載の発明は、
波長λ1の第１光束を用いて保護層の厚さｔ1の第１光記録媒体に対し情報の記録及び再生の少なくとも一方を行うとともに、波長λ2（λ2＞λ1）の第２光束を用いて保護層の厚さｔ2（ｔ2≧ｔ1）の第２光記録媒体に対し情報の記録及び再生の少なくとも一方を行う光ピックアップ装置用の対物レンズであって、
前記第１光束に対する倍率ｍ1と、前記第２光束に対する倍率ｍ2とは、
１／３０＞ｍ1≧０．９×ｍ2
を満たし、
少なくとも一方の光学面は、非球面形状であるとともに、前記第１光束及び前記第２光束を集光する中央領域と、前記第１光束を集光する外周領域とを備え、
前記中央領域には、光軸を中心とする複数の輪帯状に第１回折構造が設けられ、
この第１回折構造の光路差関数Φ（ｈ）＝Ｃ2ｈ2＋ΣＣ2iｈ2i（但し、ｈは光軸からの高さ、ｉは２以上の整数、Ｃ2，Ｃ2iは係数）は、この光路差関数Φ（ｈ）の各極値に対応する高さｈのうち、最も小さい所定高さｈ1に対して極大値を示し、
前記光軸から前記所定高さｈ1までを通過する前記第１光束に対する開口数ＮＡP2は、以下の（２）式を満たすことを特徴とする。
０．３５ＮＡC≦ＮＡP2≦０．７ＮＡC
または０．７３ＮＡC≦ＮＡP2≦０．９５ＮＡC          （２）
（但し、ＮＡCは、前記中央領域のみを通過する前記第２光束に対する開口数）
【００１６】
ここで、光路差関数Φ（ｈ）は、第１回折構造のない場合と比較して正の光路差を付与するときにはΦ（ｈ）＞０、負の光路差を付与するときにはΦ（ｈ）＜０となる関数である。この光路差関数Φ（ｈ）は、中央領域内に極大値を有する限りにおいて、更に他の極値を有することとしても良い。
【００１７】
請求項３記載の発明によれば、中央領域に第１回折構造が設けられているので、第１光束を第１光記録媒体の情報記録面に集光でき、かつ第２光束を第２光記録媒体の情報記録面に集光することができる。従って、複数種類の光記録媒体に対して互換性を持たせることができる。
【００１８】
また、光軸から所定高さｈ1までを通過する第１光束に対する開口数ＮＡP2は前記（２）式を満たすので、色収差量を適当な値に設定しつつ、従来と比較して輪帯数を少なくすることができる。
【００１９】
また、光路差関数Φ（ｈ）は、各極値に対応する高さｈのうち、最も小さい所定高さｈ1に対して極大値を示すので、この極大値は最も光軸に近い極値となる。従って、光路差関数の最低次の係数Ｃ2は正となり、２次以上の係数Ｃ2iの総和が負となるため、係数Ｃ2が０以下になる場合と比較して、輪帯数を少なくすることができる。
【００２０】
また、光路差関数は極大値を有するので、極値を有さない場合と比較して輪帯数を少なくすることができる。
【００２１】
また、倍率ｍ1，ｍ2がｍ1≧０．９×ｍ2を満たすので、ｍ1＞ｍ2の場合には、第２光束の発散角が第１光束の発散角よりも大きくなる。従って、この場合には複数種類の光記録媒体の使用波長や保護基板厚の差に起因する球面収差の一部が発散角の違いにより補正されるため、互換性に必要な回折作用が減少する分、輪帯数を減らすことができる。
よって、輪帯数を減らすことにより、集光スポットにおける光量を向上させることができる。
【００２２】
また、倍率ｍ1が１／３０＞ｍ1を満たすので、１／３０≦ｍ1である場合と比較して、光ピックアップ装置がトラッキングのために対物レンズを移動させた場合に生じるコマ収差の量を低減することができる。
【００２３】
請求項４記載の発明は、請求項３記載の対物レンズにおいて、
前記光路差関数Φ（ｈ）は、極値を１つのみ有することを特徴とする。
請求項４記載の発明によれば、請求項３記載の発明と同様の効果を得ることができる。
【００２４】
請求項５記載の発明は、
波長λ1の第１光束を用いて保護層の厚さｔ1の第１光記録媒体に対し情報の記録及び再生の少なくとも一方を行うとともに、波長λ2（λ2＞λ1）の第２光束を用いて保護層の厚さｔ2（ｔ2≧ｔ1）の第２光記録媒体に対し情報の記録及び再生の少なくとも一方を行う光ピックアップ装置用の対物レンズであって、
前記第１光束に対する倍率ｍ1と、前記第２光束に対する倍率ｍ2とは、
１／３０＞ｍ1≧０．９×ｍ2
を満たし、
少なくとも一方の光学面は、非球面形状であるとともに、前記第１光束及び前記第２光束を集光する中央領域と、前記第１光束を集光する外周領域とを備え、
前記中央領域には、光軸を中心とする複数の輪帯状に第１回折構造が設けられており、
この第１回折構造の光路差関数Φ（ｈ）＝Ｃ2ｈ2＋ΣＣ2iｈ2i（但し、ｈは光軸からの高さ、ｉは２以上の整数、Ｃ2，Ｃ2iは係数）の前記係数Ｃ2，Ｃ2iは、以下の（３）式を満たすことを特徴とする。
−ΣＣ2iｈc2(i-1)−１０λ2ｈ-2≦Ｃ2≦−ΣＣ2iｈc2(i-1)＋９λ2ｈ-2        （３）
（但し、ｈcは前記中央領域と前記外周領域との境界での高さ）
【００２５】
請求項５記載の発明によれば、中央領域に第１回折構造が設けられているので、第１光束を第１光記録媒体の情報記録面に集光でき、かつ第２光束を第２光記録媒体の情報記録面に集光することができる。従って、複数種類の光記録媒体に対して互換性を持たせることができる。
【００２６】
また、係数Ｃ2，Ｃ2iは前記（３）式を満たすので、光路差関数Φ（ｈ）は極大値を有し、この極大値は最も光軸に近い極値となる。従って、光路差関数の最低次の係数Ｃ2は正となり、２次以上の係数Ｃ2iの総和が負となるため、係数Ｃ2が０以下になる場合と比較して、輪帯数を少なくすることができる。また、光路差関数は極大値を有するので、極値を有さない場合と比較して輪帯数を少なくすることができる。
【００２７】
また、倍率ｍ1，ｍ2がｍ1≧０．９×ｍ2を満たすので、ｍ1＞ｍ2の場合には、第２光束の発散角が第１光束の発散角よりも大きくなる。従って、この場合には複数種類の光記録媒体の使用波長や保護基板厚の差に起因する球面収差の一部が発散角の違いにより補正されるため、互換性に必要な回折作用が減少する分、輪帯数を減らすことができる。
よって、輪帯数を減らすことにより、集光スポットにおける光量を向上させることができる。
【００２８】
また、倍率ｍ1が１／３０＞ｍ1を満たすので、１／３０≦ｍ1である場合と比較して、光ピックアップ装置がトラッキングのために対物レンズを移動させた場合に生じるコマ収差の量を低減することができる。
【００２９】
請求項６記載の発明は、
波長λ1の第１光束を用いて保護層の厚さｔ1の第１光記録媒体に対し情報の記録及び再生の少なくとも一方を行うとともに、波長λ2（λ2＞λ1）の第２光束を用いて保護層の厚さｔ2（ｔ2≧ｔ1）の第２光記録媒体に対し情報の記録及び再生の少なくとも一方を行う光ピックアップ装置用の対物レンズであって、
ｄ線に対するアッベ数νｄが５０≦νｄ≦７０の材料から形成され、
前記第１光束に対する倍率ｍ1と、前記第２光束に対する倍率ｍ2とは、
１／３０＞ｍ1≧０．９×ｍ2
を満たし、
少なくとも一方の光学面は、非球面形状であるとともに、前記第１光束及び前記第２光束を集光する中央領域と、前記第１光束を集光する外周領域とを備え、
前記中央領域には、光軸を中心とする複数の輪帯状に第１回折構造が設けられており、
前記中央領域を通過した前記第１光束から形成される集光スポットの色収差Ｉ［μｍ／ｎｍ］は、
０．１＜Ｉ＜０．３を満たすことを特徴とする。
【００３０】
ここで、色収差とは、波長が＋１［ｎｍ］変動した場合における集光位置の変化量のことである。
また、ｄ線に対する材料のアッベ数νｄの値が定まると、対物レンズの屈折パワーの波長依存性が一義的に定まる。また、集光スポットの色収差Ｉ及び前記屈折パワーの波長依存性が定まると、回折パワーの波長依存性が一義的に定まる。更に、回折パワーの波長依存性が定まると、光路差関数の係数Ｃ2，Ｃ2iが一義的に定まる。よって、アッベ数νｄと色収差Ｉとの値が定まると、係数Ｃ2，Ｃ2iの値が一義的に定まる。
【００３１】
請求項６記載の発明によれば、中央領域に第１回折構造が設けられているので、第１光束を第１光記録媒体の情報記録面に集光でき、かつ第２光束を第２光記録媒体の情報記録面に集光することができる。従って、複数種類の光記録媒体に対して互換性を持たせることができる。
【００３２】
また、ｄ線に対する材料のアッベ数νｄが５０≦νｄ≦７０でり、中央領域を通過した第１光束による集光スポットの色収差Ｉは０．１＜Ｉ＜０．３［μｍ／ｎｍ］を満たすので、光路差関数の係数Ｃ2，Ｃ2iは前記（３）式のように定まる。これにより、光路差関数Φ（ｈ）は極大値を有し、この極大値は最も光軸に近い極値となる。従って、光路差関数の最低次の係数Ｃ2は正となり、２次以上の係数Ｃ2iの総和が負となるため、係数Ｃ2が０以下になる場合と比較して、輪帯数を少なくすることができる。また、光路差関数は極大値を有するので、極値を有さない場合と比較して輪帯数を少なくすることができる。
【００３３】
また、倍率ｍ1，ｍ2がｍ1≧０．９×ｍ2を満たすので、ｍ1＞ｍ2の場合には、第２光束の発散角が第１光束の発散角よりも大きくなる。従って、この場合には複数種類の光記録媒体の使用波長や保護基板厚の差に起因する球面収差の一部が発散角の違いにより補正されるため、互換性に必要な回折作用が減少する分、輪帯数を減らすことができる。
よって、輪帯数を減らすことにより、集光スポットにおける光量を向上させることができる。
【００３４】
また、倍率ｍ1が１／３０＞ｍ1を満たすので、１／３０≦ｍ1である場合と比較して、光ピックアップ装置がトラッキングのために対物レンズを移動させた場合に生じるコマ収差の量を低減することができる。
【００３５】
請求項７記載の発明は、請求項１〜６の何れか一項に記載の対物レンズにおいて、
前記第１光束に対する倍率ｍ1と、前記第２光束に対する倍率ｍ2とは、
０．９５×ｍ1≦ｍ2≦１．０５×ｍ1
を満たすことを特徴とする。
【００３６】
請求項７記載の発明によれば、倍率ｍ1，ｍ2はほぼ同じ値となるので、第１光束の光路と第２光束の光路とを一致させることができる。従って、２つの光源から出射される第１光束，第２光束を同一の光路上にのせるためのビームスプリッタを用いる必要がなくなるとともに、各光路にそれぞれコリメータレンズやビームシェイパーを配設する必要がなくなるため、その分、光ピックアップ装置を小型化することができる。また、筐体内に２つの光源を備える光源ユニットを用いることができるため、２つの光源を別個に用いる場合と比較して、光ピックアップ装置を小型化することができる。
【００３７】
請求項８記載の発明は、請求項１〜７の何れか一項に記載の対物レンズにおいて、
前記第１光束の波長λ1は、６３０〜６８０［ｎｍ］、
前記第２光束の波長λ2は、７７０〜７９０［ｎｍ］、
前記第１光記録媒体の保護層の厚さｔ1は、０．５５≦ｔ1≦０．６５［ｍｍ］、
前記第２光記録媒体の保護層の厚さｔ2は、１．２ｔ1≦ｔ2≦２．２ｔ1［ｍｍ］であることを特徴とする。
【００３８】
請求項８記載の発明によれば、請求項１〜７の何れか一項に記載の発明と同様の効果を得ることができる。
【００３９】
請求項９記載の発明は、請求項１〜８の何れか一項に記載の対物レンズにおいて、
前記外周領域には、光軸を中心とする複数の輪帯状に第２回折構造が設けられており、
この第２回折構造における最も内周側の輪帯のピッチは、前記第１回折構造における最も外周側の輪帯のピッチよりも大きいことを特徴とする。
【００４０】
請求項９記載の発明によれば、第２回折構造における最も内周側の輪帯のピッチは第１回折構造における最も外周側の輪帯のピッチよりも大きいので、第２回折構造の輪帯数が少なくなる。従って、第１光束により形成される集光スポットの光量を向上させることができる。
【００４１】
請求項１０記載の発明は、請求項１〜９の何れか一項に記載の対物レンズにおいて、
前記外周領域には、光軸を中心とする複数の輪帯状に第２回折構造が設けられており、
この第２回折構造は、前記外周領域を通過する前記第２光束を、前記第２光記録媒体の情報記録面において光軸を中心とする直径３０〜１００［μｍ］の領域内に到達させることを特徴とする。
【００４２】
請求項１０記載の発明によれば、外周領域を通過した第２光束は第２回折構造によって第２光記録媒体の情報記録面の光軸を中心とする直径３０〜１００［μｍ］の領域内に到達するので、この第２光束が光軸に近い位置に集光される場合と比較して、第２回折構造の回折作用が小さい。従って、第２回折構造の輪帯数を少なくすることができるとともに、第１光束に対する集光性能を向上させることができる。
【００４３】
請求項１１記載の発明は、請求項１〜１０の何れか一項に記載の対物レンズにおいて、
プラスチック製であることを特徴とする。
【００４４】
請求項１１記載の発明によれば、対物レンズがプラスチック製であるので、ガラス製である場合と比較して、回折構造の加工性を向上させ、対物レンズを軽量化することができる。
【００４５】
請求項１２記載の発明は、光ピックアップ装置において、
請求項１〜１１の何れか一項に記載の対物レンズと、
前記第１光束を出射する第１光源と、
前記第２光束を出射する第２光源とを備えることを特徴とする。
【００４６】
請求項１２記載の発明によれば、請求項１〜１１の何れか一項に記載の発明と同様の効果を得ることができる。
【発明の効果】
【００４７】
請求項１，３，５，６記載の発明によれば、複数種類の光記録媒体に対して互換性を持たせることができるとともに、集光スポットにおける光量を向上させることができる。
請求項２，４記載の発明によれば、請求項１，３記載の発明と同様の効果を得ることができる。
【００４８】
請求項７記載の発明によれば、請求項１〜６の何れか一項に記載の発明と同様の効果を得ることができるのは勿論のこと、光ピックアップ装置を小型化することができる。
請求項８記載の発明によれば、請求項１〜７の何れか一項に記載の発明と同様の効果を得ることができる。
【００４９】
請求項９記載の発明によれば、請求項１〜８の何れか一項に記載の発明と同様の効果を得ることができるのは勿論のこと、第１光束により形成される集光スポットの光量を向上させることができる。
【００５０】
請求項１０記載の発明によれば、請求項１〜９の何れか一項に記載の発明と同様の効果を得ることができるのは勿論のこと、第２回折構造の輪帯数を少なくすることができるとともに、第１光束に対する集光性能を向上させることができる。
【００５１】
請求項１１記載の発明によれば、請求項１〜１０の何れか一項に記載の発明と同様の効果を得ることができるのは勿論のこと、回折構造の加工性を向上させ、対物レンズを軽量化することができる。
【００５２】
請求項１２記載の発明によれば、請求項１〜１１の何れか一項に記載の発明と同様の効果を得ることができる。
【発明を実施するための最良の形態】
【００５３】
［第１の実施の形態］
まず、本発明に係る光ピックアップ装置の実施の形態について説明する。
図１は、光ピックアップ装置１の概略構成図である。
この図に示すように、光ピックアップ装置１は、光源ユニット２を備えている。光源ユニット２の内部には、第１光源２１及び第２光源２２が配設されている。
【００５４】
第１光源２１は、波長６３０〜６８０［ｎｍ］の第１レーザー光を出射するものであり、本実施の形態においては第１レーザー光の波長λ1は６５５［ｎｍ］となっている。この第１レーザー光は、本発明における第１光記録媒体としてのＤＶＤ１１に対する情報の記録や、ＤＶＤ１１に記録された情報の再生に用いられるものである。なお、ＤＶＤ１１の情報記録面１１ａ上に設けられた保護層１１１の厚さｔ1は、０．５５≦ｔ1≦０．６５［ｍｍ］であり、本実施の形態においては０．６［ｍｍ］となっている。
【００５５】
第２光源２２は波長７７０〜７９０［ｎｍ］の第２レーザー光を出射するものであり、本実施の形態においては第２レーザー光の波長λ2は７８５［ｎｍ］となっている。この第２レーザー光は、本発明における第２光記録媒体としてのＣＤ１２に対する情報の記録や、ＣＤ１２に記録された情報の再生に用いられるものである。なお、ＣＤ１２の情報記録面１２ａ上に設けられた保護層１２１の厚さｔ2は、１．２ｔ1≦ｔ2≦２．２ｔ1［ｍｍ］であり、本実施の形態においては１．２［ｍｍ］となっている。
【００５６】
光源ユニット２の前方（図１の上方）には、ビームスプリッタ３が配設されている。ビームスプリッタ３は、第１光源２１，第２光源２２から出射される第１レーザー光，第２レーザー光をＤＶＤ１１，ＣＤ１２の方向へ透過させるとともに、ＤＶＤ１１，ＣＤ１２からの反射光、つまり戻り光を光検出器４に導くものである。
【００５７】
ビームスプリッタ３と光検出器４との間には、センサーレンズ群４１が配設されている。このセンサーレンズ群４１は、前記戻り光を光検出器４に集光するものである。
【００５８】
また、ビームスプリッタ３とＣＤ１２，ＤＶＤ１１との間には、２次元アクチュエータ５ａが配設されている。この２次元アクチュエータ５ａは所定の方向に移動可能となっている。２次元アクチュエータ５ａには、対物レンズ５が搭載されている。
【００５９】
対物レンズ５は非球面形状の光学面６と光学面７とを有している。
光学面６は、ビームスプリッタ３に対向している。この光学面６は、図２に示すように、第１レーザー光及び第２レーザー光を集光する中央領域６１と、第１レーザー光のみを集光する外周領域６２とを備えている。なお、この図２では、ＣＤ１２の保護層１２１の図示を省略している。
【００６０】
中央領域６１には、図３（ａ）に示すように、光軸を中心としてブレーズ型の第１回折構造６５が輪帯状に設けられており、中央領域６１を通過する第１レーザー光の集光スポットの色収差Ｉ［μｍ／ｎｍ］を０．１＜Ｉ＜０．３とするようになっている。
【００６１】
この第１回折構造６５は、母非球面（図３（ａ）の破線参照）よりも外側に突出しているとともに、中央領域６１の内周部分である第１領域６３では外周側に、外周部分である第２領域６４では内周側に向いている。これにより、第１回折構造６５の光路差関数Φ（ｈ）＝Ｃ2ｈ2＋ΣＣ2iｈ2i（但し、ｈは光軸からの高さ、ｉは２以上の整数、Ｃ2，Ｃ2iは係数）は、所定高さｈ1に対して極大値を示し、この極大値以外に極値を示さないようになるため、光路差関数Φ（ｈ）の最低次の係数Ｃ2が正となり、２次以上の係数Ｃ2iの総和が負となる結果、係数Ｃ2が０以下になる場合と比較して、輪帯数が少なくなっている。また、光路差関数Φ（ｈ）は極大値を有するので、極値を有さない場合と比較して輪帯数が少なくなっている。
【００６２】
なお、回折構造６５の向きとは、各輪帯を構成する２つの面６５ａ，６５ｂのうち、母非球面となす角の大きい方の面６５ａが対向する向きである。
【００６３】
ここで、第１領域６３のみを通過する第１レーザー光に対する開口数ＮＡP1は、以下の（１）式を満たすようになっているため、色収差量が適当な値となり、かつ、従来と比較して輪帯数が少なくなっている。なお、（１）式中、「ＮＡC」は、中央領域６１のみを通過する第２レーザー光に対する開口数である。
【００６４】
０．３５ＮＡC≦ＮＡP1≦０．７ＮＡC
または０．７３ＮＡC≦ＮＡP1≦０．９５ＮＡC          （１）
【００６５】
同様に、光軸から前記所定高さｈ1までを通過する第１レーザー光に対する開口数ＮＡP2は、以下の（２）式を満たすようになっているため、色収差量が適当な値となり、かつ、従来と比較して輪帯数が少なくなっている。
【００６６】
０．３５ＮＡC≦ＮＡP2≦０．７ＮＡC
または０．７３ＮＡC≦ＮＡP2≦０．９５ＮＡC          （２）
【００６７】
また、光路差関数Φ（ｈ）の係数Ｃ2，Ｃ2iは、以下の（３）式を満たすようになっているため、光路差関数Φ（ｈ）は極大値を有し、この極大値は最も光軸に近い極値となる結果、上述のように、輪帯数が少なくなっている。なお、（３）式中、「ｈc」は中央領域６１と外周領域６２との境界での高さである。
【００６８】
−ΣＣ2iｈc2(i-1)−１０λ2ｈ-2≦Ｃ2≦−ΣＣ2iｈc2(i-1)＋９λ2ｈ-2        （３）
【００６９】
外周領域６２には、光軸を中心とする複数の輪帯状に第２回折構造（図示せず）が設けられている。この第２回折構造における最も内周側の輪帯のピッチは第１回折構造６５における最も外周側の輪帯のピッチよりも大きくなっており、これにより第２回折構造の輪帯数が少なくなっている。
【００７０】
また、この第２回折構造は、図２に示すように、外周領域６２を通過する第２レーザー光を、ＣＤ１２の情報記録面１２ａにおいて光軸を中心とする直径３０〜１００［μｍ］の領域内に到達させ、フレアＦを形成するようになっている。これにより、外周領域６２を通過する第２レーザー光が光軸に近い位置に集光される場合と比較して、第２回折構造の回折作用が小さくなる分、第２回折構造の輪帯数が少なくなっており、また、第１レーザー光に対する集光性能が向上している。
【００７１】
光学面７は、ＤＶＤ１１，ＣＤ１２に対向している。
なお、上記の光学面６，７には、周知の反射防止膜（図示せず）や保護層が設けられても良い。
【００７２】
以上の対物レンズ５は、プラスチック材料の射出成形等によって形成されている。そのため、対物レンズ５がガラス製である場合と比較して、上記の第１回折構造６５，第２回折構造の加工性が良く、対物レンズ５が軽量化されている。
【００７３】
また、プラスチック材料のアッベ数νｄは、５０≦νｄ≦７０となっているため、このアッベ数νｄの範囲と、上述の色収差Ｉの範囲とにより、光路差関数の係数Ｃ2，Ｃ2iは前記（３）式のように定まる。これにより、上述したように、第１回折構造６５の輪帯数が少なくなっている。なお、アッベ数νｄが５０≦νｄ≦７０であるプラスチック材料としては、例えば、ＰＭＭＡ（アッベ数５８）や、「ＯＺ１０００」（商品名、日立化成オプトレッツ製）などの透明な樹脂材料がある。
【００７４】
また、対物レンズ５の第１レーザー光に対する倍率ｍ1と、第２レーザー光に対する倍率ｍ2とは、以下の（４）式，（５）式を満たすようになっている。よって、１／３０＞ｍ1の関係より、１／３０≦ｍ1である場合と比較して、トラッキングのために対物レンズ５が移動する場合に生じるコマ収差の量が低減される。また、（５）式の関係より、倍率ｍ1，ｍ2がほぼ同じ値となる、つまり、対物レンズ５に入射する光の発散角がほぼ同じとなる結果、倍率ｍ1，ｍ2が異なることによる互換作用は得にくくなるものの、第１レーザー光の光路と第２レーザー光の光路とを一致させることができるため、第１レーザー光，第２レーザー光を同一の光路上にのせるためのビームスプリッタ等を用いる必要がなくなるとともに、各光路にそれぞれコリメータレンズやビームシェイパーを配設する必要がなくなる。
【００７５】
１／３０＞ｍ1≧０．９×ｍ2                （４）
０．９５×ｍ1≦ｍ2≦１．０５×ｍ1          （５）
【００７６】
続いて、光ピックアップ装置１の動作を簡単に説明する。
ＤＶＤ１１，ＣＤ１２への情報の記録時やＤＶＤ１１，ＣＤ１２中の情報の再生時には、まず第１光源２１，第２光源２２が第１レーザー光，第２レーザー光を出射する。この第１レーザー光，第２レーザー光は、ビームスプリッタ３を通過した後、対物レンズ５によってＤＶＤ１１，ＣＤ１２の情報記録面１１ａ，１２ａ上に集光され、光軸Ｌ上に集光スポットを形成する。
【００７７】
ここで、中央領域６１には第１回折構造６５が設けられているので、第１レーザー光はＤＶＤ１１の情報記録面１１ａに正確に集光され、かつ第２レーザー光がＣＤ１２の情報記録面１２ａに正確に集光される。
【００７８】
次に、集光スポットを形成した第１レーザー光，第２レーザー光は情報記録面１１ａ，１２ａで情報ピットにより変調されて反射され、ビームスプリッタ３で反射して分岐される。
そして、分岐された第１レーザー光，第２レーザー光はセンサーレンズ群４１を経て光検出器４に入射する。光検出器４は入射光のスポットを検出して信号を出力し、その出力された信号を用いてＤＶＤ１１，ＣＤ１２の情報記録面１１ａ，１２ａに記録された情報の読み取り信号を得る。
【００７９】
なお、このとき光検出器４上でのスポットの形状変化や位置変化による光量変化等が検出されて合焦検出やトラック検出が行われる。また、この検出結果に基づいて２次元アクチュエータ５ａが対物レンズ５をフォーカス方向及びトラッキング方向に移動させることにより、集光スポットを適当な形状に維持する。
【００８０】
以上のような光ピックアップ装置１によれば、第１レーザー光をＤＶＤ１１の情報記録面１１ａに正確に集光するとともに、第２レーザー光をＣＤ１２の情報記録面１２ａに正確に集光することができるため、ＤＶＤ１１，ＣＤ１２に対して互換性を有する。
【００８１】
また、従来と比較して輪帯数を少なくすることができるため、集光スポットにおける光量を向上させることができる。
【００８２】
また、第１レーザー光，第２レーザー光を同一の光路上にのせるためのビームスプリッタや、光路上に配設されるコリメータレンズやビームシェイパーの数を減らすことができるため、光ピックアップ装置１を小型化することができる。
【００８３】
なお、上記の実施の形態においては、第１光源２１，第２光源２２は光源ユニット２の内部に配設されることとして説明したが、別々の位置に配設されることとしても良い。この場合には、第１光源２１と対物レンズ５との間にコリメータレンズを配設することにより、第１レーザー光を平行光として対物レンズ５に入射させることとしても良い。
【００８４】
また、本発明における第１回折構造が光学面６に設けられていることとして説明したが、光学面７に設けられることとしても良いし、光学面６と光学面７との両方に設けられることとしても良い。
【００８５】
また、倍率ｍ1，ｍ2は上記の（４），（５）式を満たすこととして説明したが、更にｍ1＞ｍ2を満たすこととしても良い。この場合には、第２レーザー光の発散角が第１レーザー光の発散角よりも大きくなるため、ＤＶＤ１１，ＣＤ１２の使用波長や保護基板厚の差に起因する球面収差の一部が発散角の違いにより補正される結果、互換性に必要な回折作用が減少する分、輪帯数を減らすことができる。
【００８６】
また、第１回折構造６５が母非球面よりも外側に突出していることとして説明したが、図３（ｂ）に示すように、内側にくぼんでいることとしても良い。
【実施例】
【００８７】
次に、上記実施の形態で示した対物レンズの実施例について説明する。
【００８８】
[実施例１]
表１に実施例１のレンズデータを示す。
【表１】
2006114081.tif 000003
【００８９】
この表に示すように、本実施例１の対物レンズは、ＤＶＤ／ＣＤ互換用の対物レンズであり、波長λ1＝６５５［ｎｍ］のときの焦点距離ｆ1＝１．８［ｍｍ］、倍率ｍ1＝０に設定されており、波長λ2＝７８５［ｎｍ］のときの焦点距離ｆ2＝１．８１［ｍｍ］、倍率ｍ2＝０に設定されている。なお、対物レンズを構成する材料のｄ線におけるアッベ数νｄは６６．１に設定されている。
【００９０】
また、対物レンズの入射面（第２面，第２’面）、及び出射面（第３面）は、光軸の周りに軸対称な非球面、具体的には、表１中の係数を以下の式に代入した数式で規定される非球面に形成されている。これらの面のうち、第２面及び第２’面は、本発明における光学面である。なお、第２面は入射面の中央領域６１であり、第２’面は外周領域６２である。
【００９１】
【数１】
2006114081.tif 000004
【００９２】
ここで、ｘ（ｈ）は光軸方向の軸（光の進行方向を正とする）、κは円錐係数、Ａ2iは非球面係数、ｈ［ｍｍ］は光軸に垂直な方向の高さ、ｒは曲率半径である。
【００９３】
また、第２面には第１回折構造が形成され、第２’面には第２回折構造が形成されている。これら第１回折構造，第２回折構造は、透過波面に付加する光路長を用いて表される。かかる光路差は、表１に示す係数を以下の式に代入して定義される光路差関数φで表される。
【００９４】
φ＝Φ（ｈ）×λ×ｍ＝（ΣＢ2iｈ2i）×λ×ｍ［ｍｍ］
但し、この式中、ｉは１以上の整数である。また、Ｂ2i（＝Ｃ2i×λＢ）は光路差関数の係数、λ［ｎｍ］は使用波長、λＢ［ｎｍ］はブレーズ化波長である。また、ｍは入射光束の回折光のうち最大の回折効率を有する回折光の回折次数であり、本実施例１と後述の実施例２及び比較例とではｍ＝１である。
【００９５】
以上の対物レンズの入射面において、前記開口数ＮＡP1は０．３１であり、前記開口数ＮＡC（＝０．５１）に対し、前記（１）式の０．３５ＮＡC≦ＮＡP1≦０．７ＮＡCを満たしている。
【００９６】
また、図４（ａ）に示すように、この対物レンズの入射面において前記所定高さｈ1は１であり、この所定高さｈ1に対応する前記開口数ＮＡP2は０．３１である。従って、この開口数ＮＡP2は、前記開口数ＮＡC（＝０．５１）に対し、前記（２）式の０．３５ＮＡC≦ＮＡP2≦０．７ＮＡCを満たしている。
【００９７】
また、光路差関数Φ（ｈ）の係数Ｃ2（＝Ｂ2／λＢ＝４．２８５６×１０-6），Ｃ4（＝−１．８４６６×１０-6），Ｃ6（＝−５．４９６×１０-8）は、前記高さｈc（１．７８５）に対し、前記（３）式を満たしている。
【００９８】
また、図５に示すように、前記中央領域を通過した第１レーザー光から形成される集光スポットの色収差Ｉは０．１＜Ｉ＜０．３［μｍ／ｎｍ］を満たしている。
【００９９】
また、この対物レンズにおいて、中央領域６１と外周領域６２との境界に跨って存在する輪帯をカウントしない場合には、中央領域６１での輪帯数は８個、第１領域６３での輪帯数は２個、第２領域での輪帯数は６個となっている。
【０１００】
[実施例２]
表２に実施例２のレンズデータを示す。
【表２】
2006114081.tif 000005
【０１０１】
この表に示すように、本実施例２の対物レンズは、ＤＶＤ／ＣＤ互換用の対物レンズであり、波長λ1＝６５５［ｎｍ］のときの焦点距離ｆ1＝１．８［ｍｍ］、倍率ｍ1＝０に設定されており、波長λ2＝７８５［ｎｍ］のときの焦点距離ｆ2＝１．８３［ｍｍ］、倍率ｍ2＝０に設定されている。なお、この対物レンズには第１レーザー光及び第２レーザー光が平行光として入射するようになっている。また、対物レンズを構成する材料のｄ線におけるアッベ数νｄは６６．１に設定されている。
【０１０２】
この対物レンズの入射面（第２面，第２’面）には第１回折構造，第２回折構造が形成されている。なお、第３面は入射面の中央領域であり、第３’面は外周領域である。
【０１０３】
以上の対物レンズの入射面において、前記開口数ＮＡP1は０．３９であり、前記開口数ＮＡC（＝０．５１）に対し、前記（１）式の０．３５ＮＡC≦ＮＡP1≦０．７ＮＡCを満たしている。
【０１０４】
また、図４（ｂ）に示すように、この対物レンズの入射面において前記所定高さｈ1は０．７であり、この所定高さｈ1に対応する前記開口数ＮＡP2は０．３９である。従って、この開口数ＮＡP2は、前記開口数ＮＡC（＝０．５１）に対し、前記（２）式の０．３５ＮＡC≦ＮＡP2≦０．７ＮＡCを満たしている。
【０１０５】
また、光路差関数Φ（ｈ）の係数Ｃ2（＝Ｂ2／λＢ＝２．５×１０-5），Ｃ4（＝−１．５６７×１０-5），Ｃ6（＝−７．１３８２×１０-6）は、前記高さｈc（０．９３７）に対し、前記（３）式を満たしている。
【０１０６】
また、図５に示すように、前記中央領域を通過した第１レーザー光から形成される集光スポットの色収差Ｉは０．１＜Ｉ＜０．３［μｍ／ｎｍ］を満たしている。
【０１０７】
また、この対物レンズにおいて、中央領域６１と外周領域６２との境界に跨って存在する輪帯をカウントしない場合には、中央領域６１での輪帯数は５個、第１領域６３での輪帯数は４個、第２領域での輪帯数は１個となっている。
【０１０８】
[比較例]
表３に比較例のレンズデータを示す。
【表３】
2006114081.tif 000006
【０１０９】
この表に示すように、本比較例の対物レンズは、ＤＶＤ／ＣＤ互換用の対物レンズであり、波長λ1＝６５５［ｎｍ］のときの焦点距離ｆ1＝１．８１［ｍｍ］、倍率ｍ1＝０に設定されており、波長λ2＝７８５［ｎｍ］のときの焦点距離ｆ2＝１．８３［ｍｍ］、倍率ｍ2＝０に設定されている。なお、この対物レンズには第１レーザー光及び第２レーザー光が平行光として入射するようになっている。また、対物レンズを構成する材料のｄ線におけるアッベ数νｄは６６．１に設定されている。
【０１１０】
この対物レンズの入射面（第２面，第２’面）には第１回折構造，第２回折構造が形成されている。
【０１１１】
以上の対物レンズの入射面において、第１回折構造の向きは内側のみとなっている。
また、図４（ｃ）に示すように、この対物レンズの中央領域では光路差関数Φ（ｈ）が極値を持たない。
【０１１２】
また、光路差関数Φ（ｈ）の係数Ｃ2（＝Ｂ2／λＢ＝０），Ｃ4（＝−１．８３２×１０-5），Ｃ6（＝−７．７１６×１０-6）は、前記高さｈc（０．９３７）に対し、前記（３）式を満たしていない。
【０１１３】
また、図５に示すように、前記中央領域を通過した第１レーザー光から形成される集光スポットの色収差Ｉは０．１＜Ｉ＜０．３［μｍ／ｎｍ］を満たしていない。
【０１１４】
また、この対物レンズにおいて、中央領域６１と外周領域６２との境界に跨って存在する輪帯をカウントしない場合には、中央領域６１での輪帯数は２４個となっている。
【図面の簡単な説明】
【０１１５】
【図１】本発明に係る光ピックアップ装置の概略構成を示す図である。
【図２】本発明に係る対物レンズを示す図である。
【図３】本発明に係る対物レンズを示す図である。
【図４】光路差関数のグラフを示す図である。
【図５】波長の変動量と色収差との関係を示す図である。
【符号の説明】
【０１１６】
１      光ピックアップ装置
５      対物レンズ
６，７  光学面
１１    ＤＶＤ（第１光記録媒体）
１２    ＣＤ（第２光記録媒体）
２１    第１光源
２２    第２光源
６１    中央領域
６２    外周領域
６３    第１領域
６４    第２領域
６５    第１回折構造
１１１  保護層（第１光記録媒体の保護層）
１１２  保護層（第２光記録媒体の保護層）
【図１】
2006114081.tif 000007
【図２】
2006114081.tif 000008
【図３】
2006114081.tif 000009
【図４】
2006114081.tif 000010
【図５】
2006114081.tif 000011